(57)【要約】【課題】高画質な画像データにブランドデータを付して、ブランドイメージを高める。【解決手段】画像処理時にブランドデータ付加部２９により、画像データに電子透かしでブランドデータを埋め込む。この画像データはブランドデータとともにデータ書込部３０を介して、ＣＤＲ等の大容量記憶媒体５０に書き込まれる。この記憶媒体５０の画像データを情報端末５１により読み取って、ブランドデータの有無を検出する。ブランドデータが埋め込まれている場合には、これを読み取り、ブランドマーク５６として表示画面５４に画像５７とともに表示する。また、画像処理の際には、ブランドデータがある場合には、画質低下を招く画像処理が規制され、ブランドイメージの低下が抑えられる。【選択図】　　　　　　　　図１
2004112650.tif 000002
【特許請求の範囲】
【請求項１】
画像処理工程と、この画像処理工程後の画像データに対してブランドデータを電子透かしによって埋め込むデータ埋め込み工程とを有することを特徴とする画像処理方法。
【請求項２】
ブランドデータが電子透かしによって埋め込まれている画像データに基づき画像を表示する画像表示装置において、
前記ブランドデータを検出するブランドデータ検出手段と、
このブランドデータ検出手段でブランドデータを検出したときに、前記画像にブランドデータを表示する表示手段とを備えることを特徴とする画像表示装置。
【請求項３】
ブランドデータが電子透かしによって埋め込まれた画像データを編集する画像編集装置において、
前記画像データに電子透かしによって埋め込まれたブランドデータを検出するブランドデータ検出手段と、
このブランドデータ検出手段でブランドデータを検出したときに、画質を変更する編集を規制する画質編集規制手段とを備えたことを特徴とする画像編集装置。
【発明の詳細な説明】
【０００１】
【発明の属する技術分野】
本発明は画像処理方法及び画像表示装置、画像編集装置に関するものである。
【０００２】
【従来の技術】
【特許文献１】
特開２０００−２０９４２６号公報（第２〜第４頁）
【０００３】
例えば、写真フイルムやプリントにはそれらメーカの努力によって、それなりのブランドイメージが定着している。ところで、近年はインターネットの普及によって、画像データ自体にもブランドイメージを持たせたいという要請がある。なお、画像データに著作権情報を書き込む方法として、被写体像のうち、主被写体像の部分の画像を表す画像データに電子透かしによって著作権情報を埋め込むことが例えば特許文献１に開示されている。そして、この著作権情報を読み込んで、これに基づき著作権情報を前記主被写体像を除いた部分に可視表示している。
【０００４】
【発明が解決しようとする課題】
しかしながら、上記の著作権情報を書き込む方法を利用して、ブランドデータを主被写体像の部分の画像を表す画像データに電子透かしによって埋め込むようにしても、ブランドイメージの浸透や保護、向上や活用の点からは不十分であるという問題がある。
【０００５】
本発明は上記課題を解決するためのものであり、画像処理に対するブランドイメージの浸透や保護、向上や活用が図れるようにした画像処理方法及び画像表示装置、画像編集装置を提供することを目的とする。
【０００６】
【課題を解決するための手段】
上記目的を達成するために、本発明では、画像処理工程と、この画像処理工程後の画像データに対してブランドデータを電子透かしによって埋め込むデータ埋め込み工程とを有することを特徴とする。また、ブランドデータが電子透かしによって埋め込まれている画像データに基づき画像を表示する画像表示装置においては、前記ブランドデータを検出するブランドデータ検出手段と、このブランドデータ検出手段でブランドデータを検出したときに、前記画像にブランドデータを表示する表示手段とを備えることを特徴とする。また、ブランドデータが電子透かしによって埋め込まれた画像データを編集する画像編集装置においては、前記画像データに電子透かしによって埋め込まれたブランドデータを検出するブランドデータ検出手段と、このブランドデータ検出手段でブランドデータを検出したときに、画質を変更する編集を規制する画質編集規制手段とを備えることを特徴とする。
【０００７】
【発明の実施の形態】
図１は、本発明の画像処理装置を有する画像読取システムと画像ビュアーとを示す概略図である。画像読取システム１０は、スキャナ１１、画像処理装置１２、ディスプレイ１３から構成されており、これに出力装置としてのプリンタプロセサ１４が接続されている。画像処理装置１２には、この他にキーボード１５ａ、マウス１５ｂからなる入力手段１５が接続されており、画像処理の際に操作されることで、様々な条件の入力（設定）、処理の選択や指示等などが行なわれる。スキャナ１１からはデータ入力部１７を介して画像データが入力される。このデータ入力部１７には、スキャナ１１の他に、デジタルカメラやパソコンなどからの画像データも入力可能になっている。データの入力は、有線または無線によるデータ通信や、スマートメディアなどのメモリカードが用いられる。
【０００８】
スキャナ１１は、写真フィルム等に撮影された画像を１コマずつ光電的に読み取る装置である。先ず、本スキャンの前にプレスキャンを行い、このプレスキャンデータに基づき本スキャン時の読取条件を決定する。そして、決定した読取条件に基づき本スキャンを行い、Ｒ，Ｇ，Ｂの各色画像データを得る。ディスプレイ１３には、画像処理の際にシミュレーション画像等が表示される。
【０００９】
図２に示すように、画像処理装置１２は、データ処理部２０、Ｌｏｇ変換器２１、プレスキャンメモリ２２、本スキャンメモリ２３、条件設定部２４、プレスキャン処理部２５、本スキャン処理部２６、プレスキャン変換部２７、本スキャン変換部２８、ブランドデータ付加部２９、及びデータ書込部３０を備えている。なお、図２は、主に画像処理関連の部位を示しているが、画像処理装置１２は、画像読取システム全体の制御や管理も行うものであり、図２に示した部位以外にも、全体を制御するＣＰＵ、各部の作動等に必要な情報を記憶するメモリ等を備えている。
【００１０】
スキャナ１１から出力されたＲ、Ｇ、Ｂの各色画像データは、データ処理部２０において、ＤＣオフセット補正、暗時補正、シェーディング補正等の所定の処理を施される。次いで、データ処理部２０で処理された出力データは、Ｌｏｇ変換器２１において、例えばＬＵＴ（ルックアップテーブル）等によってＬｏｇ変換されて、デジタルの画像（濃度）データとされ、プレスキャン（画像）データはプレスキャンメモリ２２に、本スキャン（画像）データは本スキャンメモリ２３に、それぞれ記憶される。
【００１１】
条件設定部２４は、プレスキャン処理部２５および本スキャン処理部２６における、各画像の画像処理条件を設定するものであり、セットアップ部３２、キー調整部３４およびパラメータ統合部３６を有する。
【００１２】
セットアップ部３２は、プレスキャンデータを用いた画像解析によって、各コマ毎の画像処理条件を設定する部位である。具体的には、セットアップ部３２は、プレスキャンデータを用いて、画像の濃度ヒストグラムの作成、および、最低濃度や最高濃度、平均濃度などの画像特徴量の算出、さらには、主要被写体（顔領域）抽出等を行う。さらに、この濃度ヒストグラムや画像特徴量等を用いて、本スキャンの読取条件の設定、後述するプレスキャン処理部２５および本スキャン処理部２６における各種の画像処理条件の設定を行う。このような処理すなわち画像解析や各種画像処理条件の設定は、公知の方法で行えばよい。なお、この処理は、選択された動作モードに応じて、モード設定部３８によって切り換えられる。この点に関しては、後に詳述する。
【００１３】
キー調整部３４は、キーボード１５ａに設定される、濃度調整キー、色調整キー、階調調整キー、鮮鋭度調整キー等の各種の調整キーや、マウス１５ｂによって入力された各種の調整指示等に応じて、画像の調整量を算出し、パラメータ統合部３６に供給するものである。パラメータ統合部３６は、セットアップ部３２が設定した画像処理条件を受け取り、この画像処理条件をプレスキャン処理部２５および本スキャン処理部２６の所定位置に設定する。パラメータ統合部３６は、さらに、キー調整部３４で算出された画像の調整量に応じて、各部位に設定した画像処理条件の調整（補正）や、その調整を行う処理条件の作成、および両処理部への設定を行う。
【００１４】
画像処理装置１２においては、プレスキャンメモリ２２に記憶されたプレスキャンデータはプレスキャン処理部２５で、本スキャンメモリ２３に記憶された本スキャンデータは本スキャン処理部２６で、それぞれ画像処理される。プレスキャン処理部２５と、本スキャン処理部２６とは、処理する画像データの画素密度が異なる以外には、基本的に同様の構成を有し同様の処理を行うので、以下の説明は、本スキャン処理部２６を代表例として説明する。
【００１５】
本スキャン処理部２６は、本スキャンメモリ２３に記憶された本スキャンデータを読み出し、各種の画像処理を施す部位である。同様にして、プレスキャン処理部２５は、プレスキャンメモリ２２に記憶されたプレスキャンデータを読み出し、各種の画像処理を施す部位である。
【００１６】
図３に示すように、本スキャン処理部２６は、グレーバランス／濃度補正部４０、コントラスト／階調補正部４１、顔領域濃度補正部４２、自動覆い焼き処理部４３、及び彩度補正部４４を有して構成されており、プレスキャン処理部２５も同様に構成されている。なお、本発明の画像処理装置１２においては、これ以外にも、画像のエッジを強調して画像を鮮鋭化する鮮鋭度強調処理部や電子変倍処理部等の上述した以外の各種処理を行う処理部を有してもよいのは、もちろんである。
【００１７】
グレーバランス／濃度補正部４０は、例えば、ルックアップテーブル（ＬＵＴ）を用いて、画像のグレーバランス補正（カラーバランス補正）および各色（Ｒ、ＧおよびＢ）の濃度補正を行う部位である。コントラスト／階調補正部４１も、同様にＬＵＴを用いて画像のコントラスト補正および階調補正を行う部位である。顔領域濃度補正部４２は、顔抽出結果に応じて人物の顔を適正な肌色に仕上げるように、顔領域の濃度を調整する部位である。
【００１８】
自動覆い焼き処理部４３は、画像（データ）処理によって、直接露光における覆い焼き処理と同様の効果を付与する部位である。具体的には、原画像のダイナミックレンジ（最高濃度と最低濃度の差）を線型もしくは非線型に圧縮して、階調を圧縮することにより、出力画像のダイナミックレンジを、出力機（図示例では、プリンタプロセサ１４）での濃度再現可能域（プリント再現域）に合わせる処理を行う部位である。この覆い焼き処理については、本出願人による特開平１０−１３６８０号公報等に詳述される。さらに、彩度補正部４４は、マトリクス演算等により、画像の彩度を補正（彩度コントロール）するものである。また、必要に応じて設けられる電子変倍処理部は、プリントサイズ等に応じて画像の拡大／縮小を行う。このように各種画像処理が行なわれることで、高品質な画像データが得られる。
【００１９】
ブランドデータ付加部２９はこのようにして画像処理された画像データに対して、ブランドデータを付加する。図４はブランドデータを付加する処理を示すフローチャートである。ブランドデータは例えば商標や商号、会社名、画像処理アルゴリズム名などが用いられ、これの画像データが、画像処理された画像中の主被写体像エリアに対応する画像データに対して、電子透かしにより埋め込まれる。
【００２０】
このため、ブランドデータ付加部２９は、ブランドデータ（本実施形態では商標の画像データ）を記憶するメモリと、透かし情報埋め込み回路とを備えている。透かし情報埋め込み回路は、電子透かしにより主被写体像エリアに対応する画像データに対して埋め込む。例えば、ＤＣＴ（Ｄｉｓｃｒｅｔｅ　ｃｏｓｉｎｅ　ｔｒａｎｓｆｏｒｍ）変換により得られるＤＣ成分に透かしビットを埋め込むことにより、ブランドデータが付加される。
【００２１】
電子透かしによるマークなどの埋め込み方法については、例えば本出願人が既に提案している特開２０００−２０９４２６号に記載されており、詳しい説明は省略する。なお、電子透かしによるマーク等の埋め込み方法については上記提案以外にも各種提案がなされており、これらの各種手法を用いて行なってもよい。
【００２２】
また、主被写体像エリアの特定は、周知の主被写体像特定方法を用いて自動的に行なってもよく、または、予め設定したエリア、例えば画像中央エリアを主被写体像エリアとして特定してもよい。さらには、オペレータによる画像処理操作が加わる場合にはオペレータにより指示されたエリアを主被写体像エリアとして特定してもよい。
【００２３】
このようにして、ブランドデータが埋め込まれた画像データは、図１に示すように、ＣＤＲやＤＶＤ等の大容量記憶媒体５０に記憶されて、ユーザーに渡される。ユーザーは受け取った大容量記憶媒体５０をパソコンなどの情報端末５１にセットして、画像を読み取る。情報端末５１には予めビュアーアプリケーションがインストールされており、ビュアーとして機能する。図５はビュアーにおける処理を示すフローチャートである。情報端末５１は、パソコン本体５１ａ、ディスプレイ５２及び図示しないキーボード等から構成されており、パソコン本体５１ａ中のドライブ装置５３に記憶媒体５０をセットすることにより、記憶媒体５０中の画像データが読み取られる。
【００２４】
そして、読み取った画像データ中にブランドデータが埋め込まれているか否かを判定する。ブランドデータが埋め込まれている場合には、これを読み出して、このブランドデータをディスプレイ５２の表示画面５４中のブランドマーク表示エリア５５にブランドマーク５６として可視表示する。また、画像５７が画像表示エリア５４ａに表示される。
【００２５】
ブランドマーク表示エリア５５は、表示画面５４の画像表示エリア５４ａの範囲外の周囲エリア５４ｂが好ましいが、選択により画像表示エリア５４ａに表示してもよい。この場合に、輪郭のみを抽出して表示する透明表示や、通常のように画像に重書きした通常表示でブランドマーク５６が表示される。
【００２６】
このように、所定の画像処理装置や画像処理アルゴリズムを用いて画像処理がなされた場合にはブランドデータが画像データに付加され、これが画像表示の際に付加的にブラントマーク５６として表示されるため、高画質な画像によってブランドイメージを高め、保護していくことができる。
【００２７】
図６は別の実施形態を示すもので、画像処理部６０を備えたビュアー６１を示している。このビュアー６１は、データ入力部６２、ブランドデータ検出部６３、画像処理部６０、データ出力部６５、及びディスプレイ６６から構成されている。図７はこのビュアー６１における処理を示すフローチャートである。先ず、データ入力部６２により画像データが読み込まれると、ブランドデータ検出部６３によって、画像データにブランドデータが埋め込まれているか否かを検出する。ブランドデータが埋め込まれている場合には、画質を変更してしまう画像処理は規制されて行なえなくなる。
【００２８】
なお、画質に変更が加えられることのないトリミング処理などについては処理が規制されることなく行なえる。また、ブランドデータが付加されていない画像データの場合には、何らの制限を受けることなく、自由に濃度補正、諧調補正、その他の各種補正が可能になる。このように、ブランドデータが付された画像データに対して、画質低下に繋がる画像処理が規制されるため、ブランドイメージが損なわれることがない。画像処理後の画像データはデータ出力部を介してディスプレイに出力される他に、大容量記憶媒体５０に書き込まれる。
【００２９】
さらに、ブランドデータを有する画像に対して、画質補償のない画像処理を加えたい場合には、電子すかしにより埋め込まれたブランドデータを取り除き、この後に画像処理を行なう。この場合には、ブランドデータが除去されるため、たとえ画質が低下したとしてもブランドイメージが損なわれることがない。また、一般の画像処理アプリケーションでは、電子透かしによるブランドデータを認識することができないため、通常の画像処理が行なわれることで、電子透かしが破壊され、以降はブランドデータの読み取り及び表示が不能になる。これによって上記同様にブランドイメージが損なわれることがない。
【００３０】
上記実施形態では、写真フイルムから画像を読み取る画像読取システムの画像処理装置について説明したが、特有な画像処理を行い画質向上効果が得られる画像処理装置であれば、本発明を適用することができる。例えば、デジタルカメラにおける画像処理部や、その他の各種装置の画像処理部に本発明の適用が可能である。また、静止画像を例にとって説明したが、動画像に対しても同様に本発明を適用することができる。
【００３１】
また、上記実施形態では所定の画像処理装置で画像処理をした場合に、この画像処理された画像データに対して一律にブランドデータを画像データに埋め込むようにしているが、これは一定基準の画像品質が得られたときのみに付与してもよい。この場合には、オペレータによりその判定が行なわれる。なお、ブランドデータは複数種類用意しておき、画像品質のレベルに応じて、これらを使い分けることが好ましい。
【００３２】
【発明の効果】
本発明によれば、画像処理後に、画像処理後の画像データに対してブランドデータを電子透かしによって埋め込むことにより、ブランドマークなどを画像処理された画像に表示させることができる。これにより、画像処理部で行なわれた高画質な画像をブランドマークによって保護することができる。
【００３３】
ブランドデータが電子透かしによって埋め込まれている画像データに基づき画像を表示する画像表示装置において、ブランドデータを検出したときに、画像にブランドデータを表示する表示手段を備えたから、画像処理により高画質とされた画像を観察する際にそのブランドイメージの浸透や保護、さらには向上や活用が図れる。
【００３４】
ブランドデータが電子透かしによって埋め込まれた画像データを編集する画像編集装置において、ブランドデータ検出手段により画像データに電子透かしによって埋め込まれたブランドデータを検出し、ブランドデータが検出されたときに画質編集規制手段により画質を変更する編集を規制するようにしたから、ブランドイメージが損なわれることがなく、ブランドイメージの保護が図れる。
【図面の簡単な説明】
【図１】本発明の画像処理装置と画像ビュアーとを示す概略図である。
【図２】画像処理装置の概略構成を示すブロック図である。
【図３】本スキャン処理部の概略構成を示すブロック図である。
【図４】画像処理装置における処理を示すフローチャートである。
【図５】ビュアーにおける処理を示すフローチャートである。
【図６】別の実施形態における画像ビュアーを示す概略図である。
【図７】別の実施形態の画像処理装置における処理を示すフローチャートである。
【符号の説明】
１０　画像読取システム
１１　スキャナ
１２　画像処理装置
２９　ブランドデータ付加部
３０　データ書込部
５０　大容量記憶媒体
５１　情報端末
５４　ブランドマーク
６０　画像処理部
６１　ビュアー
６３　ブランドデータ検出部
【図１】
2004112650.tif 000003
【図２】
2004112650.tif 000004
【図３】
2004112650.tif 000005
【図４】
2004112650.tif 000006
【図５】
2004112650.tif 000007
【図６】
2004112650.tif 000008
【図７】
2004112650.tif 000009